(57)【要約】【解決課題】スロットマシンにおける模様替えを容易且つ迅速に行えるようにすること。【解決手段】ドラムユニット（６）とメダル払出し装置（８）とを収容してなる本体枠（１）の前面に開口する開口部（２）には前扉（４）をヒンジ装置（３）を介して開閉自由に蝶着支持し、常には閉塞状態に保って被う一方、該前扉（４）を前記ヒンジ装置（３）を分離して取外すことにより他の異なる前扉（４）と脱着交換し、スロットマシンの本体枠（１）、その内部に格納されるドラムユニット（６）、メダル払出し装置（８）を変更することなくスロットマシンの前面の模様を替えるようにする。【選択図】          図２
2004248782.tif 000002
【特許請求の範囲】
【請求項１】
箱形をなす本体枠の上部収納空間にドラムユニットを抜き差し自由に格納し、下部収納空間にメダル払出し装置を格納する一方、前記本体枠の前面開口部に前扉を開閉自由に蝶着支持して該開口部を閉ざすと共に、前記前扉の前記ドラムユニットの前面を被う扉上部には透明板によって塞がれる透視窓を設け、該透視窓を通して前記ドラムユニットを視認可能とし、また前記前扉の下半部前面部には前記ドラムユニットのドラムの操作用ボタン、ゲームの設定用ボタン、メダルの投入口、メダルの放出受皿等諸種の遊技操作用設備を備えてなることを特徴としたスロットマシン。
【請求項２】
請求項１の記載において、ドラムユニットには前面に表示枠を備え、該表示枠を前記ドラムユニットと共に前扉の透視窓を通して視認可能にしてなることを特徴としたスロットマシン。
【請求項３】
請求項１の記載において、前扉の透視窓を閉ざす透明板にはドラムユニットの前面の視認を妨げない部分に表示乃至装飾を施してなることを特徴としたスロットマシン。
【請求項４】
請求項１乃至３の記載において、前扉には透視窓を囲む周縁部であってドラムユニットとその前面に設けられる表示枠の視認を妨げない部分に表示部若しくは装飾部を設けてなることを特徴としたスロットマシン。
【請求項５】
請求項１乃至４の記載において、本体枠の上部収納空間には前後方向に支持レールを付設し、他方前記上部収納空間に格納されるドラムユニットには前記支持レールに滑合する滑合体を備えて前扉の開放時に該支持レールを案内に前記ドラムユニットを出入自由にしてなることを特徴としたスロットマシン。
【請求項６】
請求項１乃至５の記載において、前扉は本体枠の前面開口部に対して着脱自由にしてなることを特徴としたスロットマシン。
【請求項７】
請求項１乃至６の記載において、前扉の透視窓を閉ざす透明板は該透視窓に対して着脱交換自由にしてなることを特徴としたスロットマシン。
【発明の詳細な説明】
【０００１】
【発明の属する技術分野】
本発明は、スロットマシンに関する。
【０００２】
【従来の技術】
周知のように、スロットマシンは箱形をなす本体枠の内部空間に複数の回転ドラムを連装したドラムユニットと、ゲームの成立に伴って払い出すメダルを貯留するメダル払出し装置とを格納し、この本体枠の前面を前扉によって被う構造にしてある。
【０００３】
上記前扉には、ドラムユニットの回転ドラムを覗く透視窓を開設し、この透視窓を囲むように回転ドラムの周面に表す図柄の組合せを表示する表示部や、メダルの投入状態やゲームの賭け率を表示する表示部を設け、また遊技の進行操作のための諸手段、例えば回転ドラムを始動させるための始動用レバーやそれぞれの回転ドラムを停止させるための停止ボタン、更にはメダルの投入口や払い出しにより放出されるメダルを受ける受皿等を前扉の前面の適所に配置し、スロットマシンを構成している。
【０００４】
従来、これらの設備を備えたスロットマシンは全ての部品設備を一体のものとして使用しており、ゲーム仕様の変更等に伴って機種を変更する場合にはスロットマシンを入れ替えることによってこれに対処する方法を採っていた。
【０００５】
しかし、このスロットマシン全体の入れ替えによる変更は全てが変ることから当然のことながら模様替えする場合には最も効果的な変更となるが、スロットマシンを新機のものと入れ替えることは高額となるばかりではなく、旧機の再利用可能な部分についても廃棄することになる結果不経済であり、また無用な廃棄物を発生させることになり、更に処分するに当っては無用な処分費用を掛けることにもなる。
【０００６】
元来、新機との交換、機種の変更はゲーム仕様の変更により遊技方法を変へ、遊技者にそれに基づく新鮮さを与えて興味意欲を高めることにあるが、同時に外観、デザインの変更によって見た目の新鮮さを与えることになる。
この様なことから、最近スロットマシンの全体を入れ替えることなく主要な部分、例えば回転ドラムとこの回転ドラムと一体となる表示部をスロットマシンの本体枠から外して新たなものと交換し、ゲーム仕様の変更に合せて外観部分を変えて模様替えを行い、遊技者に視覚的な新鮮味を与える言わば部分切り離しの分離型スロットマシンが提案されている。
【０００７】
例えば、特開平１０ー５２５２５号公報に記載されるスロットマシンの構造がその一例である。
ここに提案されるスロットマシンは、本体箱（本体枠）２０に対してその前面を塞ぐ前扉４０を表示窓４１を有する上部ドア９０と、装飾パネル１０１を有する下部ドア１００とから構成し、これらのドアをヒンジ装置３０を介して前記本体箱２０の一側に開閉自由に取り付けるようにしたものであり、各ドア９０，１００をそれぞれヒンジ装置３０を外すことにより本体箱２０から個別に取り外して交換できる構造としたものである（特許文献１）。
【０００８】
【特許文献１】
特開平１０ー５２５２５号公報  第２頁左欄第２４行目〜第３２行目、第５頁右欄第２２行目〜第３８行目、及び図１、図２。
【０００９】
ここに提案されたスロットマシンは、上下のドア、つまり上部前扉と下部前扉を個別に交換可能にすることで、スロットマシンを部分的に変更することができるようにしたものであり、この交換によって外観の部分的変更と機能（若しくは仕様）の変更、ことに上部ドアにおいてはリール装置１１０、つまり回転ドラムのユニットを一緒に備えるものとすることによってゲーム仕様を交換変更することができるものとしている。
【００１０】
【発明が解決しようとする課題】
しかし、この従来の部分的交換を可能にしたスロットマシンは、ゲーム仕様を変更するドラムユニット（リール装置）を含む入れ替えを可能とする点でスロットマシン全体の交換変更に近い効果を挙げることができるが、遊技者に模様替えの印象を与える程度の変更でよい、とする場合は機能の変更を伴わない変更、つまり視覚される範囲の意匠的変更でも充分である。またこの様な変更の場合コスト的にも有利になる。
【００１１】
本発明は、この様な視点において容易にスロットマシンの外観的変更を可能にして遊技者に新鮮味を与え、新機種の入れ替えと略同等の印象を与えることができるスロットマシンを提供せんとするものである。また、これによりスロットマシンの使用期間の延長を図り、無用な廃棄処分を回避すると共に、装置の維持，管理を容易にした経済性に優れたスロットマシンを提供することにある。
【００１２】
【課題を解決するための手段】
本発明は上記目的を達成するため、ドラムユニットとメダル払出し装置を格納する箱形の本体枠の前面開口部に前扉を開閉自由に蝶着支持し、前記ドラムユニットの前面を塞ぐと共に、該前扉に前記ドラムユニットを視認可能とする透視窓を開設して内部に透明板を装着し、必要とするとき前記前扉を交換することによってスロットマシンの前面の意匠的外観を変更し、模様替えを行い、更には遊技仕様の変更を可能にしたスロットマシンを提供することにある。
【００１３】
更に本発明を詳述すると、この発明は箱形をなす本体枠の上部収納空間にドラムユニットを抜き差し自由に格納し、下部収納空間にメダル払出し装置を格納する一方、前記本体枠の前面開口部に前扉を開閉自由に蝶着支持して該開口部を閉ざすと共に、前記前扉の前記ドラムユニットの前面を被う扉上部には透明板によって塞がれる透視窓を設け、該透視窓を通して前記ドラムユニットを視認可能とし、また前記前扉の下半部前面部には前記ドラムユニットのドラムの操作用ボタン、ゲームの設定用ボタン、メダルの投入口、メダルの放出受皿等諸種の遊技操作用設備を備えてなることを特徴としたスロットマシンを提供することにある。
【００１４】
また、本発明は前記のスロットマシンにおいて、前記ドラムユニットには前面に表示枠を備え、該表示枠を前記ドラムユニットと共に前扉の透視窓を通して視認可能にしてなることを特徴としたスロットマシンを提供することにある。
【００１５】
また、本発明は前記スロットマシンにおいて、前扉の透視窓を閉ざす透明板にはドラムユニットの前面の視認を妨げない部分に表示乃至装飾を施してなることを特徴としたスロットマシンを提供することにある。
【００１６】
また、本発明は前記スロットマシンにおいて、前扉には透視窓を囲む周縁部であってドラムユニットとその前面に設けられる表示枠の視認を妨げない部分に表示部若しくは装飾部を設けてなることを特徴としたスロットマシンを提供することにある。
【００１７】
また、本発明は前記スロットマシンにおいて、本体枠の上部収納空間には前後方向に支持レールを付設し、他方前記上部収納空間に格納されるドラムユニットには前記支持レールに滑合する滑合体を備えて前扉の開放時に該支持レールを案内に前記ドラムユニットを出入自由にしてなることを特徴としたスロットマシンを提供することにある。
【００１８】
また、本発明は前記スロットマシンにおいて、前記前扉は本体枠の前面開口部に対して着脱自由にしてなることを特徴としたスロットマシンを提供することにある。
【００１９】
また、本発明は前記スロットマシンにおいて、前扉の透視窓を閉ざす透明板は該透視窓に対して着脱交換自由にしてなることを特徴としたスロットマシンを提供することにある。
【００２０】
【発明の実施の形態】
本発明の実施の形態を図示する実施例について説明し、その要旨とするところを明らかにし、併せてその他の特徴について説明することにする。
尚、異なる実施例において同一の部所については図面中同一の符号を付してその説明を省略する。
【００２１】
【実施例１】
図１乃至図６は本発明に係るスロットマシンの一例を示すものである。図１は本発明スロットマシンの斜視図であり、図２は前扉を開放した状態の斜視図、図３は図２の状態において本体枠からドラムユニットを取り出した状態の斜視図であり、図４は正面において右方に片寄った部分で断面とした縦断右側面図、図５は本体枠から前扉を外し、更にドラムユニットを引き出した状態における一部断面とする右側面図である。
【００２２】
本体枠１は前面を開放する縦長の箱形に形成してあり、その開口部２の左側縁部には上下のヒンジ装置３、３を使って前扉４を開閉自由に蝶着し、内部の上部収納空間５にはドラムユニット６を、また下部の収納空間７にはメダルの払出し装置８を収めている。
【００２３】
上記上下の収納空間５、７は本体枠１の内部空間を略上下に２分するもので、これらの空間にドラムユニット６とメダル払出し装置８を収め、且つそれぞれの前面を前扉４で被う構造にしている。
【００２４】
上記前扉４は、この実施例では上半部の中央部分を開放して矩形の透視窓９を開設し、この透視窓の後縁部内周に沿って突出するフランジ部に前方から押し入れる透明板１０を突き当て押縁材で固定し、一体に嵌め付けている。
尚、ここにおける透明板１０はアクリル樹脂製にして透視窓９に嵌め込み塞ぐものとしているが、前記前扉４を合成樹脂素材により成形するのに併せて前記透視窓９に相当する部分を透明にして透明板によって塞がれる透視窓を前扉と一体に形成するようにしてもよい。
【００２５】
また、前扉の上縁部の前面には表示用のランプ１１を収めるランプケース１２を横長に備えて背面側から上記ランプ１１を取付けた基板１３を添わせており、また、開閉自由な端縁側の右側縁部背面にはロック装置の係止爪１４を上下に２個備えて本体枠１に設ける係止部１５に掛け止め、閉塞状態を確保できるようにしてある。
【００２６】
一方、上記前扉４は前面の略中央部分に前方に突き出す横長の操作台１６を設けてこの操作台の上面左側にメダルの投入個数を１個、２個と設定する投入個数設定ボタン１７を横列に配置し、右端にはメダルの投入口１８を配置している。
【００２７】
前記操作台１６の前面部にはゲームを始動させるスタートレバー１９を配置し、中央部分には３個のストップボタン２０ａ、２０ｂ、２０ｃを配置している。そして、その右寄りにはクレジットモードの設定用ボタン２１と詰りメダルの解除用ボタン２２を設置している。
【００２８】
２３は前記前扉４のロック装置を操作する鍵穴で、前記係止爪１４、１４を外すとき使用される。
また、２４は、前記操作台１６の下方の前面部に着脱自由に付設する表示板であり、この表示板２４の下方にメダルを受ける受皿２５を備え、受皿２５の上方に前記メダルの払出し装置８から放出されるメダルの排出口２６を設けてある。
【００２９】
前記前扉４の背面側にはメダル投入口１８から投入されたメダルを選別するセレクター２７が斜めに配置してあり、前扉が閉塞されたときこのセレクターの下端がメダル払出し装置８のホッパー部８ａに臨みメダルの送り込みができるようにしてある。
【００３０】
セレクター２７の下方には前記排出口２６の後部が突出し、メダル払出し装置８の放出口２８と連通するようにしてあり、また背面部の下隅部には効果音を発するスピーカー２９が設けてある。
【００３１】
前記ドラムユニット６は台基板３０から門形の支持フレーム３１を起立し、このフレームの内側に等間隔で図示しない支持板を起立配置して３分割し、各分割した空間内に個別に回転ドラム３２ａ、３２ｂ、３２ｃを収めて３個のドラムを横一列に並立するようにしている。
【００３２】
上記の各回転ドラムは支持フレーム３１と図示しない支持板、又はこの支持板相互の間に支持軸を介して回転自由に支持してあり、各回転ドラムには個別に回転駆動するモータを備えて各独立に回転し、また個別に回転を停止できるようにしてある。
【００３３】
上記ドラムユニット６は台基板３０の両側部に滑合体を備え、この滑合体を本体枠１の内部に備える支持レールに滑合させて収納されるようにしてある。
上記滑合体は、ここでは左右ともに前後一対のローラー３３、３３から構成してあり、またこれを受ける支持レール３４、３４は側壁板３５、３５の内面に向い合せにしてそれぞれ水平に付設し、前後方向に自由に滑合誘導できるようにしてある。
【００３４】
図６は滑合体である前記ローラ３３、３３と支持レール３４、３４の関係を詳示したものである。これに基づき説明すると、前記ローラー３３は、図示したように台基板３０の両縁部から折り曲げ垂設する受部３６、３６に支軸３７を軸着して回転自由に取付けてあり、一方、支持レール３４、３４は金属帯板を断面Ｌ字形に屈曲成形してその一片を取付片３４ａとし、これをビス３８によって前記側壁板３５に固着し、他の支持片３４ｂとなる一片を水平に保持し、これに前記ローラー３３を受止めるようにしている。
【００３５】
図面から明らかな様に、前記ドラムユニット６の基板３０は両側壁板３５、３５に各付設する支持レール３４、３４に左右のローラー３３、３３を架け渡すことができる幅に形成されるが、ここでは前記支持レールの支持片３４ｂを広幅に形成して余裕をもってローラー３３、３３を受けられるようにしてある。そして、両ローラーを滑合したときローラー３３と支持片３４ｂの内側の縁部との間に間隔３９を確保するようにしてある。
この間隔３９はドラムユニット６の台基板３０の幅員に対して本体枠１の両側壁板３５、３５間に製造上起こる間隔の誤差を吸収するため設けられたものである。
【００３６】
左右のローラー３３、３３は両支持レール３４、３４に滑合させ支持させた後、一方のローラー３３と側壁板３５との間に上記間隔３９を埋める一定幅員のスペーサー４０を介挿し、ビス４１でこれを支持片３４ｂに固定してドラムユニット６を所定位置に固定することになる。
【００３７】
図中、４２は前記支持レールの支持片３４ｂの端縁から立ち上げた縁片である。この縁片４２は滑合部材たるローラー３３の落下を防止するためと、ここでは前記スペーサー４０の固定において、このスペーサーと共働してローラー３３を狭持し、任意の移動を拘束してドラムユニットを一定位置に固定するために機能する。
【００３８】
尚、支持レール３４は側壁板３５の内側面に沿って本体枠１の開口部２から背面壁４３に至る全幅に亘って付設してあり、ドラムユニット６の台基板３０の両側部に前後２個宛設ける２つのローラー３３、３３を略前端と後端の２ヶ所で受け止め、これにより安定した状態でドラムユニット６を支持することができるようにしてある。
【００３９】
図中４４は、前記回転ドラム３２ａ，３２ｂ，３２ｃに表示される図柄の組合せ関係を表示する表示ラインを表示したり、表示ラインの選択を表したり、クレジットメダルの数を表示する表示部等を設ける表示枠である。
【００４０】
表示枠４４はドラムユニット６に備えられる回転ドラム３２ａ，３２ｂ，３２ｃの前面部に支持されるように、ここでは台基板３０の上方に支持フレーム４５を枠組してこれに取付け、ドラムユニット６と一体をなすようにしてあり、ドラムユニットの交換時にはこれと一体に交換されるようにしてある。勿論、この表示枠４４はドラムユニットとは別体に形成して組付けることによって一体とするものであるから別々に取扱って表示枠４４を単独で交換しても、またドラムユニットのみを交換するようにしてもよい。
【００４１】
前記表示枠４４を更に詳述すると、この表示枠は図示するように表示パネル４４ａと表示用ランプを収容する枠体４４ｂから構成してある。そして、図示するように、ここでは枠体４４ｂの前縁に沿って矩形の囲みを形成し、表示パネル４４ａをこの内周に嵌め込み固定するようにしている（図４、図５を参照）。更に表示パネル４４ａを安定させるためにこのパネルの縁をビス止めしてもよく、両者を抱き合せ状態に組合せるようにするとよい。
【００４２】
上記表示パネル４４ａは透明なガラス板、或はプラスチック板から形成してあり、中央部分には３個の回転ドラム３２ａ、３２ｂ、３２ｃの各前面部分を臨ませる窓４６を形成し、この窓４６を除く周囲を不透明乃至半透明にしてこれに後述する各種の表示部を形成している。
【００４３】
表示パネル４４ａは上部に機種を表示する広告用の図柄模様（表示部）４７を表し、この模様の下に左からクレジットメダル数を表示する表示部４８、大当りラウンド表示部４９、メダル払出数表示部５０を設け、窓４６の左方には縦列に５個の遊技状態報知部５１を設けている。そして、窓４６の左右両側には左右対称状に５個のライン表示部５２・・・と、５３・・・を設け、更に窓４６の下方には前記回転ドラムに各対応するように３個の回転ドラムの回転状態を表示する表示部５４を設けている。尚、上記窓４６には上記ライン表示部５２・・・、５３・・・間を結ぶように表示ラインが描かれる。
【００４４】
上記それぞれの表示部はその背後に設置されるＬＥＤやフィラメント型電球等のランプ５５、そして、７セグメント表示器５６等、その形状が直接的に視覚されないように着色されて半透明化され、また着色に濃淡の変化を付けて表示部毎の違いが一見して識別できるようにしてある。更にこれらは枠体４４ｂの点灯照明によって表示状態が一層明瞭なものとなるようにしてある。
【００４５】
ところで、上記枠体４４ｂはプラスチックを材料に形成したランプケースになっており、前記表示パネル４４ａに合せた矩形の箱形に形成してその中央部分には前記窓４６に対応させて矩形の中空の窓５７を形成している。そして、この中空の窓５７を囲むように前記表示パネル４４ａに各形成するそれぞれの表示部に対応させてランプ収容部５８を設けるようにしている。
【００４６】
上記各ランプ収納部は、壁板によって仕切り独立する構造にして照明を個別化すると共に、枠体自体の軽量化を図り、また強度を高めて表示パネル４４ａを安定的に支持できるようにしてある。一方、上記枠体４４ｂは背面に前記ランプ収容部５８に向けてそれぞれランプ５５並びに７セグメント表示器５６を備えた基板５９を添わせ、更に液晶表示装置６０を臨ませてこれらを一体的に組付け、表示枠４４を構成している。
【００４７】
上記液晶表示装置６０は、大当り予告や小当り獲得のためのストップボタン操作順序等の遊技の進行状況に伴う諸情報を動画として画像表現し、遊技者に報知するものであり、前記枠体４４ｂの収容部に背後から嵌め入れ組付けてある。そして、前面の画面６０ａを前記表示パネル４４ａに透明の状態に残す小窓に臨ませて表示パネルの前面側から画面が覗けるようにしてある。
【００４８】
上記液晶表示装置６０については、その表示する画像データ及び画像制御データを収めたＲＯＭ等のデータ記憶装置を含む画像制御基板を該液晶表示装置の背面或は表示枠４４の背面等の適所に一体に備えておくと、後述する遊技制御基板等その他の制御手段に関係することなく表示枠４４と共に単独で取り外し移動することができることになる。
【００４９】
さて、上記構成に係る本発明スロットマシンは本体枠１と前扉４、ドラムユニット６、メダル払出し装置８を前述した如く各個別に形成し、その後相互に組合せることにより完成させることになる。本体枠１については予め支持レール３４を両側壁板３５の内側面に止着し、また右方の側壁板３５に外部中継端子基板６１を取付け、左方の側壁板３５に電源基板６２を取付け、底板６３上に払出し装置８を載置してこれを収容することになる。
【００５０】
ドラムユニット６は、本体枠１に対する諸部材を前述の如く装備したのち開口部２を通して持ち込むことになる。このとき左右のローラー３３をそれぞれの支持レール３４に滑合させ、その後この支持レールを案内にして押し込み、収容することになる。
上記ローラー３３が収まり位置に達したとき、前述したスペーサー４０を支持レール３４に添えてビス４１で止め付け前後のローラーの移動を拘束し、これによって定位置にセットすることになる。
【００５１】
上記支持レール３４に対するドラムユニット６の固定は、前述したスペーサによる外に、相互の間にロック装置を配置して掛け止め固定してもよく、更に簡単には支持レールの定位置に小突起部を設けてドラムユニット６の最終位置に押し込んだとき、これに後方のローラー３３を乗り上げて係止させてもよく、その方法は１つに限定されない。
【００５２】
この取付け作業に先立って遊技制御基板６４と、ここではドラムユニット６の支持フレーム３１の上面に備えるドラム装置中継基板６５、及び枠体４４ｂに臨むそれぞれのランプ基板５９とをコード６６、６７を介して接続し、ドラムユニット６の持込み作業の終了後に上記遊技制御基板６４と電源基板６２との接続を行うことになる。
【００５３】
前記前扉４は本体枠１の上下の収納空間５、７に上述の如くしてドラムユニット６、メダル払出し装置８を収納したのち閉塞し、それぞれの係止爪１４、１４を係止部１５、１５に掛け止めてロックすることになる。
【００５４】
前扉４は、上下のヒンジ装置３を構成する各翼片相互を蝶着支軸を介して分離自由なものにしてある。これにより必要に応じて図２、図３に示したように本体枠１から取り外すことができるようになっている。
この前扉４の取り外しは、主として交換作業を容易にするためであるが、この前扉４の交換に伴って前方からの外観が大幅に変更されることになる。
【００５５】
取り外した前扉４は、図示しない蝶着支軸によって本体枠１に取付ける翼片と前扉に取付ける翼片とを連結し、一つのヒンジ装置３に組立ることにより本体枠１に対する取付けが行われる。そして、上記蝶着支軸を支点にして開閉が自由になる。
【００５６】
この前扉４は閉塞することによって前記ドラムユニット６と表示枠４４の前面を被い、透明板１０を嵌めた透視窓９を通してこれらの前面を覗くことができることになる。そして、表示パネル４４ａの前面に施した前記装飾部と各表示部が、またこのパネル４４ａに形成した窓４６を通して回転ドラム３２ａ、３２ｂ、３２ｃのそれぞれの前面部分がそれぞれ視認できることになる。
【００５７】
また、この前扉４は閉塞と同時に前記セレクター２７の後部がメダル払出し装置８のホッパー８ａに臨み、投入されるメダルの送り込みが可能となり、また受皿２５の排出口２６の後部が放出口２８に連通してメダルの放出に備えられることになる。
【００５８】
以上の構成から明らかなように、本発明スロットマシンは前扉４を閉じることによって本体枠１内部のドラムユニット６並びにメダル払出し装置８を完全に密閉し、ドラムユニット、払出し装置に対する不正行為を防止することができることになる。
そして、この前扉４を本体枠１から取り外すことが可能にしてあることから、前扉４の交換を容易に行うことができる。このため、スロットマシンの模様替えにあたって前扉を交換すれば、その外観を簡単に変えることができ、スロットマシン全体の入れ替えに匹敵する模様替えが実現することになる。
【００５９】
また、この前扉４の交換とは別に、本発明では前扉４とは別のドラムユニット６が本体枠１に対して支持レール３４を介して滑合し、取り出し自由にしてあることから、このドラムユニット６の交換によっても模様替えが行えることになり、更にはこのドラムユニットの交換により遊技仕様を変更する実質的な機種替えとなる交換作業も容易に行えることになる。
【００６０】
そして、本発明においてはドラムユニット６の前面に表示枠４４を備えて、この表示枠４４を前記前扉４の透視窓９を通してその全体を覗ける構造としたことから、ドラムユニット６の交換による外、この表示枠４４をドラムユニット６から外してこれを交換し、遊技者の注意が最も集中する部分の模様替えが簡単にして、且つ効果的に行えることになる。
【００６１】
勿論、表示枠４４はドラムユニット６に対してその支持フレーム４５にビス等を使って止め付けることにより取り外しができ、別体とすることが可能であるので、この表示枠４４のみを交換することは可能であり、この場合更に簡単に模様替えを実行することができる。
【００６２】
【実施例２】
図７は、前記実施例１において説明した前扉４の透明板１０の取付けについてその他の方法を示したものである。尚、図面において前記実施例１と同一の部所については同一の符号を付してその説明を省略することにする。
ここに示す透明板１０は、アクリル板であって前扉４の透視窓９の口径よりやゞ大き目に形成してあり、この透視窓９の背後から添わせて当接した周縁部にピン６８を刺し通し、透視窓９の縁部９ａに植設してあり、嵌め殺し状態にして一体に取付けるようにしてある。
【００６３】
この取付けによると、背面側からしかピン６８の抜き取りができないことになっており、このため前扉４を開放したときのみ透明板１０の取り外しが可能になっている。従って、使用時においては閉塞状態にあるためこの透視窓９を使っての装置内部への不正行為はできないことになる。
【００６４】
【実施例３】
図８は、透視窓９に嵌め殺し状に嵌め付ける透明板１０の取り外しを容易にしてその交換を簡単に行えるようにした第３の実施例を示したものである。
この実施例では前扉４に開放する透視窓９の下縁部と両側縁部に添うＵ字形をなす装着枠６９を嵌め込むようにして、この装着枠６９を介して窓９に透明板１０を嵌め付けるようにした例である。
【００６５】
装着枠６９は下縁と左右の縁の枠を内側に向って開放する断面コ字形に形成してあり、図示するように下縁両端を支軸７０を介して揺動自由に枢着してある。上記支軸７０を支点にして後方に傾倒させたとき、上記内向きの溝に透明板１０の縁を嵌め入れ、次にこの枠を前方に起して透視窓９の開口に嵌め入れ、窓の上部縁に備えるフック７１に掛け止めることにより透明板１０の嵌め付けを行えるようにしてある。
【００６６】
この実施例は、より簡単に透明板１０の交換が行えるようにして模様替えを容易且つ迅速に実行できるようにした例である。この場合も透明板１０の交換は前扉４を開放し、その背面側を開放した状態で行うことになる。
【００６７】
ところで、前記各実施例で説明した透明板１０については、透明板自体に変化を付けるため表示部について、或は装飾部について各種の方法を講じることができる。例えば表示部の形成に当っては特定のパターンで点灯し、或は点滅するＥＬ（エレクトロルミネッセンス）素子からなる帯片状の表示部を設けて大当り状態などの遊技状況を表示したり、或は透明板に模様や文字をカラー印刷したフィルムを貼付けて装飾部を形成したりすることができる。
【００６８】
上記透明板に形成する表示部や装飾部は、その背後に位置するドラムユニット６や表示枠４４の前面を隠さない範囲、具体的にはこれらの前面を囲む周縁部分に設けることが望まれることになる。
この透明板１０の周縁部分に表示部、装飾部を設けるその外の理由は、背後のドラムユニットや表示枠の前面要部を隠さないことの外に、この要部以外の不要な部分を隠して前面の外観を美麗に仕上げる上で有効に作用することにもよる。
【００６９】
尚、上記表示部、或は装飾部は透明板１０の前面側に施してもよいが、板の背面側に施すと、外部からの損傷を回避できるので都合がよい。ことにＥＬ素子や模様を印刷した装飾用フィルムを貼付けて形成する場合には剥離される等のいたずらを受ける危険があるので背面側への設置は有効である。
【００７０】
勿論、透明板１０に形成する表示部はＥＬ素子など発光体を使用する場合の外、遊技方法を説明する印刷物であってもよく、その種類を特定されないことは言うまでもない。このことは装飾部についても同じである。
また装飾部の形成に当っては不透明素材による場合の外、半透明な色素材などを使用して、例えば背後の表示枠４４に表示される装飾と合成して新たな装飾を形成するようにしてもよい。
【００７１】
【発明の効果】
以上、本発明を実施例につき詳述したが、本体枠の上部収納空間にドラムユニットを収め、その前面を開閉自由に蝶着する前扉によって塞ぐ構造にしてドラムユニットを被うものとしたことから外部からの不正な侵入を防止することができることは勿論のこと、ゲームの成立、不成立を決定する前記ドラムユニットの前面を囲む前扉について異なる装飾、表示を施した他の前扉と単独に交換することが可能であることから簡単にスロットマシンの前面の外観を変更し、その模様替えをすることができ、新機種との入れ替えを行うことなく簡単に遊技者に新鮮味を与えることができることになる。
【００７２】
また、本発明は前記前扉の着脱交換に加えて、この前扉とは別にドラムユニットのみを本体枠から単独に取り出せるようにしたことから異なるドラムユニットと交換することで同様にスロットマシンの前面外観を変更することができるものとなっており、更にはこのドラムユニットと切り離してその前面に設けられる表示枠を他の表示枠と交換することによって同じくスロットマシンの前面外観を変更し、その模様替えをすることができる利点がある。
【００７３】
そして、これらの模様替えは全て部分的な交換で実現し、しかも簡単に行えるものであることから迅速に且つスロットマシン全体の入れ替えに比較して遥かに経済的に行える利点がある。
【図面の簡単な説明】
【図１】本発明に係るスロットマシンの斜視図。
【図２】前扉を開放した状態の斜視図。
【図３】前扉を開放し、ドラムユニットを取り出した状態の斜視図。
【図４】正面において右に片寄った位置で断面とした拡大縦断右側面図。
【図５】本体枠から前扉を外し、ドラムユニットを取り出した状態の一部断面とした拡大右側面図。
【図６】
本体枠に装備される支持レールとこれに滑合するローラーとの関係を示す一部省略した拡大正面図。
【図７】
第２の実施例における前扉の縦断右側面図。
【図８】
第３の実施例における前扉の縦断右側面図。
【符号の説明】
１                  本体枠
２                  本体枠の開口部
３                  ヒンジ装置
４                  前扉
５                  上部収納空間
６                  ドラムユニット
７                  下部収納空間
８                  メダル払出し装置
９                  透視窓
１０                透明板
１２                表示ランプ
１６                操作台
１８                メダル投入口
１９                スタートレバー
２０ａ，２０ｂ，２０ｃ    ストップボタン
２５                受皿
２６                放出口
２７                セレクター
３０                ドラムユニットの台基板
３１                支持フレーム
３２ａ，３２ｂ，３２ｃ    回転ドラム
３３                滑合体たるローラー
３４                支持レール
３５                本体枠の側壁板
４０                スペーサ
４４                表示枠
４４ａ              表示プレート
４４ｂ              枠体
４６                窓
４７                表示部
４８                クレジットメダル数表示部
４９                大当りラウンド表示部
５０                メダル払出し数表示部
５１                遊技状態報知部
５２，５３          ライン表示部
５７                枠体に形成される窓
５８                ランプ収容部
６０                液晶表示装置
６９                透明板を装着する装着枠
【図１】
2004248782.tif 000003
【図２】
2004248782.tif 000004
【図３】
2004248782.tif 000005
【図４】
2004248782.tif 000006
【図５】
2004248782.tif 000007
【図６】
2004248782.tif 000008
【図７】
2004248782.tif 000009
【図８】
2004248782.tif 000010